(57)【要約】【課題】発熱を抑え、良好な電気的特性のチューナを有する受信システムを提供する。【解決手段】アンテナ１１からの受信信号を複数のチューナ１０−１〜１０−３に対応して分配する第１の分配器１５−１と、前記第１の分配器１５−１で分配された受信信号を、複数の受信回路１６−１〜１６−１０に対応して分配する第２の分配器１５−２〜１５−４とを有し、前記第２の分配器１５−２〜１５−４は、前記複数のチューナ１０−１〜１０−３のそれぞれに１つ設けられていることにより上記課題を解決する。【選択図】図２
2013141096.tif 000002
【特許請求の範囲】
【請求項１】
アンテナからの受信信号を複数のチューナに対応して分配する第１の分配器と、
前記第１の分配器で分配された受信信号を、複数の受信回路に対応して分配する第２の分配器とを有し、
前記第２の分配器は、
前記複数のチューナのそれぞれに１つ設けられていることを特徴とする受信システム。
【請求項２】
前記第１の分配器は、
前記複数のチューナのうち、前記アンテナからの受信信号が供給される第１のチューナに設けられていることを特徴とする請求項１に記載の受信システム。
【請求項３】
前記第１のチューナは、
前記第２の分配器を１つ有し、前記受信回路を２つ有することを特徴とする請求項２に記載の受信システム。
【請求項４】
前記第１のチューナから受信信号が供給される第２のチューナは、
前記第２の分配器を１つ有し、前記受信回路を４つ有することを特徴とする請求項２又は３に記載の受信システム。
【請求項５】
前記第１のチューナと、前記第２のチューナとの間は所定のケーブルで接続されていることを特徴とする請求項４に記載の受信システム。
【請求項６】
前記第１のチューナは、
複数の前記第２のチューナの間に配置されていることを特徴とする請求項４又は５に記載の受信システム。
【請求項７】
アンテナからの受信信号が供給される第１のチューナと、
前記第１のチューナで分配された受信信号が供給される第２のチューナとを有し、
前記第１のチューナは、
第１の分配器と、前記第１の分配器と接続された第２の分配器と、複数の受信回路とを有し、
前記第２のチューナは、
前記第１のチューナで分配された受信信号を分配する第３の分配器と、前記第３の分配器に接続された複数の受信回路とを有することを特徴とする受信システム。
【請求項８】
前記第１のチューナは、
前記受信回路を２つ有し、
前記第２のチューナは、
前記受信回路を４つ有することを特徴とする請求項７に記載の受信システム。
【請求項９】
前記第１のチューナと、前記第２のチューナとの間は、所定のケーブルで接続されていることを特徴とする請求項７又は８に記載の受信システム。
【請求項１０】
前記第１のチューナは、
複数の前記第２のチューナの間に配置されていることを特徴とする請求項７乃至９のいずれか一項に記載の受信システム。
【発明の詳細な説明】
【技術分野】
【０００１】
本発明は、受信システムに関する。
【背景技術】
【０００２】
昨今の地上デジタルテレビやブルーレイディスクレコーダ等は、多チューナ化されており、例えば地上デジタルテレビ放送用に３つのチューナ等を搭載する装置が増えている。しかしながら、例えば、首都圏近郊では、地上デジタルテレビ放送が全部で９〜１０チャンネルもあり、今後も更に増加する可能性がある。したがって、例えば１つのチャンネルを見ながら複数のチャンネルを録画したり、画面上に一度に１０チャンネル分の画面を表示する等、同時に１０チャンネルのデジタル放送を受信するには、１０チャンネルの受信に対応可能なチューナが必要となる。
【０００３】
なお、従来では、ＲＦ信号用のスプリッタに複数のチューナを接続するマルチチューナ装置が知られている（例えば、特許文献１参照）。
【先行技術文献】
【特許文献】
【０００４】
【特許文献１】特表２００９−５０５６０１号公報
【発明の概要】
【発明が解決しようとする課題】
【０００５】
しかしながら、従来技術では、例えば１０チャンネルの受信に対応するために、従来のチューナケースにチューナを１０個搭載すると、全体の消費電力が６Ｗ程度となり、発熱を生じて、各チューナのジャンクションを保つことができなくなる。そこで、例えば、放熱対策としてチューナケースを覆うヒートシンクが必要となる。
【０００６】
図１は、従来のチューナケースの一例を示す図である。図１（Ａ）に示すように、従来のチューナケース１には、所定の間隔でチューナ２が１０個配列されている。図１（Ａ）に示すような構成で、チューナ２を１０個搭載した場合には、図１（Ｂ）に示すように、ヒートシンク３でチューナケース１を覆った上で、バックパネル４に設置しなければならない。したがって、例えばチューナケース１を覆ったヒートシンク３の厚みにより、バックパネル４上での設置スペースに余裕がなくなる。
【０００７】
また、上述のようにチューナ２を搭載する場合には、チューナケース１内におけるＲＦ（Ｒａｄｉｏ  Ｆｒｅｑｕｅｎｃｙ）信号の相互干渉による受信性能の低下や、チューナケース１に設けられた出力ピンへの接地用パターン配線からの干渉等により、良好な電気的特性を得ることができない。また、検査工程での作業効率の悪化や歩留まり低下等への影響も生じる。
【０００８】
本発明は、上記の点に鑑みてなされたものであり、発熱を抑え、良好な電気的特性のチューナを有する受信システムを提供することを目的とする。
【課題を解決するための手段】
【０００９】
上記目的を達成するため、本発明は、受信システム（１００）は、アンテナ（１１）からの受信信号を複数のチューナ（１０−１〜１０−３）に対応して分配する第１の分配器（１５−１）と、前記第１の分配器（１５−１）で分配された受信信号を、複数の受信回路（１６−１〜１６−１０）に対応して分配する第２の分配器（１５−２〜１５−４）とを有し、前記第２の分配器（１５−２〜１５−４）は、前記複数のチューナ（１０−１〜１０−３）のそれぞれに１つ設けられていることを特徴とする。
【００１０】
また、本発明の受信システム（１０１）は、アンテナ（１１）からの受信信号が供給される第１のチューナ（１０−４）と、前記第１のチューナ（１０−４）で分配された受信信号が供給される第２のチューナ（１０−５〜１０−６）とを有し、前記第１のチューナ（１０−４）は、第１の分配器（１５−５）と、前記第１の分配器（１５−５）と接続された第２の分配器（１５−６）と、複数の受信回路（１６−１〜１６−２）とを有し、前記第２のチューナ（１０−５、１０−６）は、前記第１のチューナ（１０−４）で分配された受信信号を分配する第３の分配器（１５−７、１５−８）と、前記第３の分配器（１５−７、１５−８）に接続された複数の受信回路（１６−３〜１６−６、１６−７〜１６−１０）とを有することを特徴とする。
【００１１】
なお、上記参照符号は、あくまでも参考であり、これによって、本願発明が図示の態様に限定されるものではない。
【発明の効果】
【００１２】
本発明によれば、発熱を抑え、良好な電気的特性のチューナを有する受信システムを得ることが可能となる。
【図面の簡単な説明】
【００１３】
【図１】従来のチューナケースの一例を示す図である。
【図２】第１実施形態に係る受信システムの概略構成を示す図である。
【図３】第１実施形態に係るチューナのブロック構成を説明するための図である。
【図４】チューナに設けられる受信回路を説明するための図である。
【図５】第２実施形態に係る受信システムの概略構成を示す図である。
【図６】第２実施形態に係るチューナのブロック構成を説明するための図である。
【図７】バックパネルに設けたチューナの一例を示す図である。
【発明を実施するための形態】
【００１４】
次に、本発明を実施するための形態について説明する。
【００１５】
＜第１実施形態：受信システムの概略構成＞
図２は、第１実施形態に係る受信システムの概略構成を示す図である。図２に示すように、受信システム１００は、例えば、地上デジタルテレビ放送用の１０個の受信回路を設ける場合に、３つのチューナ１０により構成したものである。
【００１６】
具体的には、受信システム１００は、チューナ１０−１〜１０−３と、ケーブル２０−１〜２０−２とを有するように構成される。チューナ１０−１及びチューナ１０−２は、ケーブル２０−１を介して接続され、チューナ１０−１及びチューナ１０−３は、ケーブル２０−２を介して接続される。
【００１７】
チューナ１０−１は、例えばチューナ１０−２とチューナ１０−３との間に配置され、アンテナ１１から入力端子１２を介して、例えば高周波信号としてＲＦ（Ｒａｄｉｏ  Ｆｒｅｑｕｅｎｃｙ）信号が供給される。なお、チューナ１０−１は、アンテナ１１から供給されたＲＦ信号を、出力端子１３を介してＴＶ１４にループスルーアウトする。
【００１８】
また、チューナ１０−１は、第１の分配器としての分配増幅器１５−１と、第２の分配器としての分配増幅器１５−２と、受信回路１６−１〜１６−２とを有するように構成される。
【００１９】
分配増幅器１５−１は、アンテナ１１から入力端子１２を介して供給されたＲＦ信号を増幅し、増幅したＲＦ信号を、複数のチューナに対応して分配する。図２の例では、分配増幅器１５−１は、例えば、チューナ１０−１〜１０−３に対してＲＦ信号を分配する。このように、分配増幅器１５−１は、アンテナ１１から供給されたＲＦ信号をチューナ１０の数に対応して分配するため、各チューナ１０に分配されるＲＦ信号の特性を均一にすることが可能となる。
【００２０】
分配増幅器１５−２は、分配増幅器１５−１により分配されたＲＦ信号を増幅し、増幅したＲＦ信号を受信回路１６に対応して分配する。図２の例では、分配増幅器１５−１は、例えば、受信回路１６−１及び受信回路１６−２にＲＦ信号を分配する。
【００２１】
受信回路１６−１及び受信回路１６−２は、例えば可変周波数発振回路やミキサー等を有し、分配増幅器１５−２から得られたＲＦ信号をＩＦ（Ｉｎｔｅｒｍｅｄｉａｔｅ  Ｆｒｅｑｕｅｎｃｙ：中間周波数）信号に周波数変換して、出力する。ここで、受信回路１６−１〜１６−２は、例えばＩ２Ｃ（Ｉｎｔｅｒ−Ｉｎｔｅｇｒａｔｅｄ  Ｃｉｒｃｕｉｔ）インターフェースにより制御される。
【００２２】
すなわち、受信回路１６−１及び受信回路１６−２は、Ｉ２Ｃインターフェースにより、それぞれ受信回路を指定するアドレス信号と制御信号とを受信する。受信回路１６−１及び受信回路１６−２は、受信したアドレス信号と制御信号に応じて、それぞれの受信回路に供給されたＲＦ信号を、それぞれの受信回路に対応した周波数信号のＩＦ信号に変換して、出力１及び出力２から出力する。
【００２３】
チューナ１０−２は、第２の分配器としての分配増幅器１５−３と、受信回路１６−３〜１６−６とを有するように構成される。
【００２４】
分配増幅器１５−３は、上述した分配増幅器１５−２と同様の機能を有し、チューナ１０−１の分配増幅器１５−１から分配されたＲＦ信号を、ケーブル２０−１を介して受信する。また、分配増幅器１５−３は、受信したＲＦ信号を増幅し、増幅したＲＦ信号を受信回路１６に対応して分配する。図２の例では、分配増幅器１５−３は、例えば受信回路１６−３〜１６−６にＲＦ信号を分配する。
【００２５】
受信回路１６−３〜１６−６は、上述した受信回路１６−１〜１６−２と同様の機能を有するため説明を省略するが、それぞれの受信回路に供給されたＲＦ信号を、それぞれの受信回路に対応した周波数信号のＩＦ信号に変換して、出力３〜出力６から出力する。
【００２６】
チューナ１０−３は、第２の分配器としての分配増幅器１５−４と、受信回路１６−７〜１６−１０とを有するように構成される。
【００２７】
分配増幅器１５−４は、上述した分配増幅器１５−２と同様の機能を有し、チューナ１０−１の分配増幅器１５−１から分配されたＲＦ信号を、ケーブル２０−２を介して受信する。また、分配増幅器１５−４は、受信したＲＦ信号を増幅し、増幅したＲＦ信号を受信回路１６に対応して分配する。図２の例では、分配増幅器１５−４は、例えば受信回路１６−７〜１６−１０にＲＦ信号を分配する。
【００２８】
受信回路１６−７〜１６−１０は、上述した受信回路１６−１〜１６−２と同様の機能を有するため説明を省略するが、それぞれの受信回路に供給されたＲＦ信号を、それぞれの受信回路に対応した周波数信号のＩＦ信号に変換して、出力７〜出力１０から出力する。
【００２９】
ケーブル２０は、例えば同軸ケーブルや同軸コネクタ等を用いて、チューナ１０−１〜チューナ１０−３を接続する。ここで、同軸ケーブルや同軸コネクタは、ＲＦ信号を劣化させることなく、ノイズが乗らないため、ＲＦ信号の特性を良好なまま、伝送させることが可能となる。
【００３０】
上述したように、第１実施形態では、分配増幅器１５−１により、アンテナから供給されたＲＦ信号が、チューナ１０の数に対応して分配されるため、各チューナ１０にはそれぞれ均一の特性を有するＲＦ信号が分配される。また、分配増幅器１５−２〜１５−４により、分配増幅器１５−１から分配されたＲＦ信号が、受信回路１６に対応して分配されるため、各受信回路１６にはそれぞれ均一の特性を有するＲＦ信号が分配される。
【００３１】
なお、上述の例では、例えばＩ２Ｃインターフェースにおいて、スレーブアドレス７ビットのうち、２ビットで受信回路１６のアドレスを設定する場合に、１つのチューナ１０に２ビットで設定される最大４つの受信回路１６を設ける構成としたが、本発明においてはこれに限定されず、受信回路１６の数及びチューナ１０の数に応じて、分配されるＲＦ信号が均一の特性を有するように構成すれば良い。
【００３２】
＜第１実施形態：各チューナのブロック構成＞
次に、上述した受信システム１００における各チューナ１０のブロック構成について説明する。図３は、第１実施形態に係るチューナのブロック構成を説明するための図である。図３に示すように、受信システム１００は、３つのチューナ（１０−１〜１０−３）を有するように構成される。
【００３３】
チューナ１０−１は、入力端子１２からＲＦ信号が供給される。供給されたＲＦ信号は、分配増幅器１５−１により増幅して、チューナ１０の数に対応して分配される。本実施形態では、３つのチューナ（１０−１〜１０−３）を有しているため、分配増幅器１５−１は、ＲＦ信号を３つのチューナに対して分配する。
【００３４】
チューナ１０−１〜チューナ１０−３は、それぞれ１つずつ分配増幅器１５−２〜１５−４を有し、分配増幅器１５−２〜１５−４は、各チューナ１０が有する受信回路１６に対応してＲＦ信号を増幅して分配する。
【００３５】
チューナ１の分配増幅器１５−２は、分配増幅器１５−１から分配されたＲＦ信号を、受信回路１６−１〜１６−２に対して分配する。また、チューナ２の分配増幅器１５−３は、分配増幅器１５−１から分配されたＲＦ信号を、受信回路１６−３〜１６−６に対して分配する。また、チューナ３の分配増幅器１５−４は、分配増幅器１５−１から分配されたＲＦ信号を、受信回路１６−７〜１６−１０に対して分配する。
【００３６】
チューナ１０−１〜チューナ１０−３には、それぞれの受信回路１６−１〜１６−１０を指定するアドレス信号と制御信号が、Ｉ２Ｃインターフェース（Ｉ２Ｃ（１）〜（３））を介して入力される。受信回路１６−１〜１６−１０は、入力されたアドレス信号と制御信号とに応じて、それぞれの受信回路に供給されたＲＦ信号を、それぞれの受信回路に応じた周波数信号のＩＦ信号（１）〜（１０）に変換して、出力する。
【００３７】
なお、受信回路１６−１〜１６−１０は、後述するように、例えば可変周波数発振回路の出力で、供給されたＲＦ信号の周波数をＩＦ信号に変換して出力する。受信回路１６−１〜１６−１０のローカル発振周波数が、Ｉ２Ｃにより制御されることにより、例えば１０チャンネルの地上デジタルテレビ放送が受信可能となる。
【００３８】
また、例えば、分配増幅器１５−１〜１５−４等には、動作に必要な所定の電源が供給される。
【００３９】
＜受信回路１６の具体例＞
次に、上述したチューナ１０に設けられる受信回路１６について具体的に説明する。図４は、チューナに設けられる受信回路を説明するための図である。
【００４０】
図４に示すように、受信回路１６は、可変周波数発振回路３１と、アンプ３２と、ミキサー３３とを有するように構成される。
【００４１】
可変周波数発振回路３１は、クリスタル発振器３４からの出力に基づき、ローカル発振周波数を生成し、生成したローカル発振周波数をミキサー３３に供給する。なお、クリスタル発振器３４は、水晶振動子で決定される基準周波数により発振する。
【００４２】
アンプ３２は、分配増幅器１５から分配されたＲＦ信号が供給され、供給されたＲＦ信号を増幅する。アンプ３２は、増幅したＲＦ信号をミキサー３３に供給する。
【００４３】
ミキサー３３は、可変周波数発振回路３１から供給されたローカル発振周波数と、アンプ３２から供給されたＲＦ信号とを混合してＩＦ信号を出力する。
【００４４】
なお、第１実施形態では、上述した可変周波数発振回路３１とクリスタル発振器３４とを、ＰＬＬ回路の一部として構成し、ＰＬＬ回路の分周比をＩ２Ｃからの制御信号で制御して、所定の周波数を可変周波数発振回路３１から出力させても良い。
【００４５】
＜第２実施形態：受信システムの概略構成＞
次に、上述した受信回路１６−１〜１６−１０を３つのチューナ１０により構成した場合の他の例について説明する。図５は、第２実施形態に係る受信システムの概略構成を示す図である。なお、図５の例は、図２の例と比較すると、チューナ１０−４に設けられている分配増幅器が異なる。したがって、ここでは、上述した第１実施形態における受信システム１００の構成と異なる点を中心に説明する。
【００４６】
図５に示すように、第２実施形態に係る受信システム１０１は、チューナ１０−４〜１０−６と、ケーブル２０−１〜２０−２とを有するように構成される。
【００４７】
チューナ１０−４は、第３の分配器としての分配増幅器１５−５と、第４の分配器としての分配増幅器１５−６と、受信回路１６−１〜１６−２とを有するように構成される。
【００４８】
分配増幅器１５−５は、アンテナ１１から入力端子１２を介して供給されたＲＦ信号を増幅させ、増幅させたＲＦ信号を、分配増幅器１５−６と、受信回路１６−１及び受信回路１６−２に分配する。
【００４９】
分配増幅器１５−６は、分配増幅器１５−５で分配されたＲＦ信号を増幅させ、増幅させたＲＦ信号を複数のチューナに対応するように分配する。図５の例では、分配増幅器１５−６は、分配増幅器１５−５で分配されたＲＦ信号を、チューナ１０−５及びチューナ１０−６に対して分配する。
【００５０】
チューナ１０−５は、第５の分配器としての分配増幅器１５−７と、受信回路１６−３〜１６−６とを有するように構成される。また、チューナ１０−６は、第５の分配器としての分配増幅器１５−８と、受信回路１６−７〜１６−１０とを有するように構成される。
【００５１】
図５の例では、チューナ１０−５及びチューナ１０−６の分配増幅器１５−７及び分配増幅器１５−８は、チューナ１０−４の分配増幅器１５−６により分配されたＲＦ信号をそれぞれが有する受信回路１６に対応して分配する。
【００５２】
なお、図５に示すチューナ１０−５及びチューナ１０−６の構成は、図２に示すチューナ１０−２及びチューナ１０−３の構成と同様の構成であっても良い。
【００５３】
＜第２実施形態：各チューナのブロック構成＞
図６は、第２実施形態に係るチューナのブロック構成を説明するための図である。図６に示すように、受信システム１０１は、３つのチューナ（１０−４〜１０−６）を有するように構成される。
【００５４】
図６の例では、入力端子１２からチューナ１０−４に供給されたＲＦ信号は、分配増幅器１５−５により、チューナ１０−４の受信回路１６−１及び１６−２に分配されると共に、分配増幅器１５−６に分配される。また、分配増幅器１５−６は、分配増幅器１５−５により分配されたＲＦ信号を、チューナ１０−５及びチューナ１０−６に分配する。
【００５５】
また、チューナ１０−５及びチューナ１０−６の分配増幅器１５−７及び１５−８は、分配増幅器１５−６により分配されたＲＦ信号を、各チューナ１０が有する受信回路１６に対応して増幅して分配する。
【００５６】
上述のように、例えば１０チャンネルの受信に対応するため、最大４つの受信回路を搭載したチューナ１０−５及びチューナ１０−６と、２つの受信回路を搭載したチューナ１０−４とに分けて構成する。また、チューナ１０−４のスペースを利用して、チューナの数に対応してＲＦ信号を分配する分配増幅器１５−６を搭載する。これにより、従来のチューナケースや部品等を用いて構成することが可能となり、発熱を抑え、良好な電気的特性のチューナを有する受信システムを得ることが可能となる。
【００５７】
なお、上述の例では、例えば１０チャンネルの受信に対応するため、３つのチューナ１０を用いて構成したが、６チャンネルの受信に対応する場合には、２つのチューナ１０を用いて構成しても良く、受信したいチャンネルの数に対応して、これらの組み合わせを選択することが可能となる。
【００５８】
また、上述の例では、分配増幅器１５−１〜１５−８を用いたが、分配増幅器の代わりに分配器を用いて構成しても良い。
【００５９】
＜バックパネルに設けたチューナの一例＞
図７は、バックパネルに設けたチューナの一例を示す図である。なお、図７（Ａ）は、バックパネル４に設置されたチューナ１０−１〜１０−３を側面から見た図である。また、図７（Ｂ）は、チューナ１０−１〜１０−３の背面、すなわち図７（Ａ）の矢印Ａ方向から見た図であり、チューナ１０−１〜１０−３が、例えばテレビ放送受信機やテレビ放送録画再生機等の本体装置側における回路基板５上に実装された状態を示す図である。
【００６０】
図７（Ａ）及び図７（Ｂ）に示すように、チューナ１０−１〜１０−３は、回路基板５上に実装されるとともに、バックパネル４に設置される。ここで、チューナ１０−１〜１０−３を、ケーブル２０−１及びケーブル２０−２により接続する場合には、チューナ１０−１〜１０−３の背面からそれぞれ接続すれば良い。したがって、各チューナ１０の配線がしやすくなり、設置時の作業性を良くすることが可能となる。
【００６１】
また、チューナ１０−２とチューナ１０−３にＲＦ信号を分配するチューナ１０−１を、各チューナ１０の間に配置することで、ケーブル２０−１及びケーブル２０−２の長さを最短とすることが可能となる。これにより、各チューナ１０のＲＦ信号の損失を少なくして、省スペース化を図ることが可能となる。
【００６２】
なお、上述したチューナ１０−１〜１０−３をチューナ１０−４〜１０−６として構成することも可能である。
【００６３】
上述したように、本発明の実施形態によれば、例えば１０チャンネル分の受信回路を搭載する場合であっても、チューナケースにおける発熱を抑えることが可能となる。また、チューナケース内におけるＲＦ信号の相互干渉による受信性能の低下や、出力ピンへの接地用パターン配線からの干渉等を防ぐことが可能となり、良好な電気的特性のチューナを有する受信システムを提供することが可能となる。
【００６４】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００６５】
１  チューナケース
２，１０  チューナ
３  ヒートシンク
４  バックパネル
５  回路基板
１１  アンテナ
１２  入力端子
１３  出力端子
１４  ＴＶ
１５  分配増幅器
１６  受信回路
２０  ケーブル
３１  可変周波数発振回路
３２  アンプ
３３  ミキサー
３４  クリスタル発振器
１００，１０１  受信システム
【図１】
2013141096.tif 000003
【図２】
2013141096.tif 000004
【図３】
2013141096.tif 000005
【図４】
2013141096.tif 000006
【図５】
2013141096.tif 000007
【図６】
2013141096.tif 000008
【図７】
2013141096.tif 000009